(57)【特許請求の範囲】
【請求項１】
画像を表示する表示ユニットと、前記表示ユニットの背面側に配置される回路基板と、前記表示ユニットを収納する中ケースと、を備えた表示装置において、前記中ケースは、前記表示ユニットが収納される収納部を備え、前記収納部の前記表示ユニットの背面に面した底部を一部開口する開口部を有し、前記回路基板は、前記表示ユニットに配置された可撓性配線部材が接続されるコネクタを有し、前記可撓性配線部材は、前記開口部を貫通し、前記開口部は、前記可撓性配線部材を前記表示ユニットとの間で折り返された状態で配置するフランジ部を有していることを特徴とする表示装置。
【請求項２】
前記フランジ部は、前記底部と平行であり、前記可撓性配線部材は、前記表示ユニットと前記フランジ部に沿うように折り返されることを特徴とする請求項１に記載の表示装置。
【請求項３】
前記開口部は、前記表示ユニットの背面から垂直方向に延びた立壁を有し、前記フランジ部は、前記立壁から形成され、前記立壁と前記フランジ部とにより前記可撓性配線部材を折り返された部分を収納する空間を形成することを特徴とする請求項１に記載の表示装置。

【発明の詳細な説明】
【技術分野】
【０００１】
本発明は、表示ユニットが収納されるケースを備えた表示装置に関するものである。
【背景技術】
【０００２】
従来より、ケース内に表示ユニットを収納した表示装置が種々提案されており、例えば特許文献１に開示されている。表示装置は、表示ユニットと、この表示ユニットが収納されるケースを有しており、表示ユニットは、ＴＦＴ型と称される表示素子と、この表示素子を照明するバックライト装置と、表示素子やバックライト装置が保持される合成樹脂製のホルダと、ホルダに表示素子やバックライト装置を固定しておく金属製の押え枠と、ホルダの背後に配置され表示素子の駆動や光源を点灯させる電子部品などが実装された回路基板と、鋼材からなるシールドケースなどを備えている。
【０００３】
このような表示装置は、表示ユニットから延設された可撓性配線部材を回路基板のコネクタに接続するものが一般的に知られている。
【先行技術文献】
【特許文献】
【０００４】
【特許文献１】特開平１１−２６８５５７号公報
【発明の開示】
【発明が解決しようとする課題】
【０００５】
しかしながら、表示ユニットが大型化しているため、表示ユニットの熱が効率よく放熱されるように中ケースに開口部を形成した構造が必要であった。また、可撓性配線部材をその開口部を貫通させて回路基板に引き延ばす際に、可撓性配線部材が撓み過ぎず配置される構造が必要であった。
【０００６】
本発明はこの様な点に鑑みなされたもので、可撓性配線部材の撓みを防止する表示装置を提供することを目的とする。
【課題を解決するための手段】
【０００７】
本発明は前記目的を達成するため、画像を表示する表示ユニットと、前記表示ユニットの背面側に配置される回路基板と、前記表示ユニットを収納する中ケースと、を備えた表示装置において、前記中ケースは、前記表示ユニットが収納される収納部を備え、前記収納部の前記表示ユニットの背面に面した底部を一部開口する開口部を有し、前記回路基板は、前記表示ユニットに配置された可撓性配線部材が接続されるコネクタを有し、前記可撓性配線部材は、前記開口部を貫通し、前記開口部は、前記可撓性配線部材を前記表示ユニットとの間で折り返された状態で配置するフランジ部を有しているものである。
【発明の効果】
【０００８】
本発明によれば、可撓性配線部材の撓みを防止する表示装置を提供することができる。
【図面の簡単な説明】
【０００９】
【図１】本発明の第１実施形態を示す表示装置の正面図。
【図２】同表示装置を示す図１のＡ−Ａ断面図。
【図３】同表示装置を示す図１のＢ−Ｂ断面図。
【図４】同表示装置の中ケースの斜視図。
【発明を実施するための最良の形態】
【００１０】
本発明を、図１から図４に基づいて、車両用の表示装置に適用した例を実施形態として説明する。
【００１１】
表示ユニット１は、本実施形態ではＴＦＴ型の表示素子１３を備え、図示しないが、表示素子１３が収納されるホルダ、照明部材、シールドケース５などがユニット化されたものである。
【００１２】
ケース２は、例えば白色の合成樹脂等から成形された中ケース２Ａと、例えば黒色の合成樹脂等から成形された下ケース２Ｂとで構成されており、フック等の係合部によって係合固定されている。
【００１３】
シールドケース５は、本実施形態においては、金属材料から形成され、表示素子１３の外周側を覆うように配置されている。図３に示すように、表示素子１３からは可撓性配線部材（ＦＰＣ）１３ａが延設され、背後に位置する回路基板８に配置されたコネクタ８ａに接続される。また、シールドケース５には、後述するビス１０がビス締めされる複数の取付部５１が一体形成されている。
【００１４】
取付部５１は、中ケース２Ａのみが取付けられる第１取付部５１Ａと、回路基板８及び下ケース２Ｂが取付けられる第２の取付部５１Ｂと、からなる。
【００１５】
中ケース２Ａは、図２に示すように、表示ユニット１が収納される収納部２１が形成されている。収納部２１の底面２１ａには、表示ユニット１の熱を逃がすための開口部２１ｂが形成されている。また、収納部２１の底面２１ａには、第２取付部５１Ｂが貫通する貫通孔２Ａ１が形成されている。中ケース２Ａの貫通孔２Ａ１と開口部２１ｂとは、本実施形態の場合、同じ孔部を示すが、ＦＰＣの位置によっては別々に形成されていてもよい。また、中ケース２Ａは、図２に示すように、ビス１０が第１取付部５１Ａに挿入されるための挿入孔２Ａ２が形成されている。
【００１６】
開口部２１ｂは、表示ユニット１の背面から垂直方向に延びた立壁２３と、その立壁２３からフランジ部２２が形成されている。このフランジ部２２は、図４で示すように、矩形状の平板形状であり、その板面が、収納部２１の底面２１ａと平行に形成されている。なお、本実施形態では、フランジ部２２は、表示ユニット１の背面と平行になるように成形されている。フランジ部２２は、ＦＰＣ１３ａが貫通する箇所にＦＰＣ１３ａが撓まず折り曲げられた状態で配置されるように設けられている。また、ＦＰＣ１３ａの撓みを抑えることによって、ＦＰＣ１３ａが回路基板８に接触することを抑制している。また、フランジ部２２を立壁２３の端部に設けたことによって、ＦＰＣ１３ａを折り畳んだ部分を収納する空間を形成することができる。
【００１７】
下ケース２Ｂには、ビス１０が第２取付部５１Ｂに挿入されるための挿入孔２Ｂ３が形成されている。
【００１８】
回路基板８は、図２に示すように、中ケース２Ａや下ケース２Ｂよりも小さい面積となっており、挿入孔２Ｂ３から挿入されたビス１０が第２取付部５１Ｂに挿入されるための貫通孔８１が形成されている。
【００１９】
表示ユニット１の図１中の右側には、指針式計器３０が配置されている。指針式計器３０は、指針３１と、指針３１によって指示される指標部を備えた文字板３２と、文字板３２を背後から照明する光源３３とを備えている。指針３１は、回路基板８の背面側に配置された駆動源３５から延びる指針軸の先端に装着されている。文字板３２は、中ケース２Ａによって保持されている。光源３３は、回路基板８上に配置されている。
【００２０】
表示ユニット１の中ケース２Ａ及び下ケース２Ｂへの組み付けを説明する。表示ユニット１のシールドケース５に形成された取付部５１のうち、第２取付部５１Ｂが中ケース２Ａの貫通孔２Ａ１を貫通するように、表示ユニット１を収納部２Ａ５に収納する。第１取付部５１Ａと中ケース２Ａは、中ケース２Ａの挿入孔２Ａ２から挿入されたビス１０でビス締めされる。また、ＦＰＣ１３ａを開口部２１ａに貫通させ、ＦＰＣ１３ａが折り返された状態で回路基板８に引き回され、コネクタ８ａに接続される。この際、ＦＰＣ１３ａの折り返された状態は、表示ユニット１とフランジ部２２との間で、表示ユニット１に沿い、立壁２３の近傍で、フランジ部２２に沿うように折り返され、再度、回路基板８の外周に沿って折り返されてコネクタ８ａ方向へ引き回される。
【００２１】
第２取付部５１Ｂが貫通孔２Ａ１を貫通し、回路基板８と当接するように、回路基板８を中ケース２Ａの背面側に配置する。第２取付部５１Ｂは、下ケース２Ｂに形成された挿入孔２Ｂ３から挿入されたビス１０が、回路基板８の貫通孔８１と中ケース２Ａの貫通孔２Ａ１を貫通したのちに、回路基板８と、下ケース２Ｂとがビス締めされる。
【００２２】
この様に、画像を表示する表示ユニット１と、表示ユニット１の背面側に配置される回路基板８と、表示ユニット１を収納する中ケース２Ａと、回路基板８を収納する下ケース２Ｂと、を備えた表示装置において、中ケース２Ａは、表示ユニット１が収納される収納部２１を備え、収納部２１の表示ユニット１の背面に面した底部２１ａを一部開口する開口部２１ｂを有し、回路基板８は、表示ユニット１に配置された可撓性配線部材１３ａが接続されるコネクタ８ａを有し、可撓性配線部材１３ａは、開口部２１ｂを貫通し、開口部２１ｂは、フランジ部２２を有していることによって、可撓性配線部材１３ａが折り曲げられた状態で配置されるので撓みを防ぐことが可能となる。
【００２３】
また、フランジ部２２は、底部２１ａと平行であることによって、可撓性配線部材１３ａが折り曲げられた状態で配置されるので撓みを防ぐことが可能となるとともに、表示ユニット１と回路基板８との限られた空間において、フランジ部２２を設けることができ、表示装置の中の限られた空間を有効に利用することができる。
【００２４】
なお、本発明の表示装置を上述した実施形態の構成にて例に挙げて説明したが、本発明はこれに限定されるものではなく、他の構成においても、本発明の要旨を逸脱しない範囲において種々の改良、並びに表示の変更が可能なことは勿論である。
【００２５】
第１実施形態では、フランジ部２２の形状は、矩形の平板形状であったが、前記実施形態に限定されるものではなく、ＦＰＣ１３の形状によって、任意に変更可能である。また、第１実施形態では、フランジ部２２の数は、１つであったが、前記実施形態に限定されるものではなく、任意である。また、第１実施形態では、フランジ部２２は、底部２１ａと平行であったが、表示ユニット１と回路基板８との間の空間の大きさなどによっては、底部２１ａと平行ではなく、底部２１ａに対して傾斜した形状であっても良い。また、フランジ部２２も平板形状である必要はなく、湾曲した曲面形状であっても良い。
【符号の説明】
【００２６】
１      表示ユニット
２Ａ    上ケース
２１  収納部
２１ａ  底部
２１ｂ  開口部
２２    フランジ部
２Ａ１  貫通孔
２Ａ２  挿入孔
２Ｂ    下ケース
５      シールドケース
８      回路基板
８ａ    コネクタ
１０    ビス
１３ａ  可撓性配線部材（ＦＰＣ）
５１    取付部
【図１】
0006645264.tif 000002
【図２】
0006645264.tif 000003
【図３】
0006645264.tif 000004
【図４】
0006645264.tif 000005